(57)【要約】    【課題】      ドップラ周波数の影響を考慮した適切な送信回数に対するＲＶパラメータを設定し、送信信号におけるドップラ周波数の変化に対応した送信ビットパターンの設定を可能にして、再送信回数を減らすことができる無線送信装置および無線送信方法を提供すること。    【解決手段】  ＲＶパターン選択部１０２は、ＲＶパラメータテーブルをＱＰＳＫ用と１６ＱＡＭ用の２つ少なくとも格納しており、送信回数推定部１０１から入力された推定送信回数と、送信信号により推定されて入力されたドップラ周波数ｆＤとの対応関係に基づいて、ＲＶパラメータテーブルから該当するＲＶパラメータＸrv（例えば、ＲＶ_ａ_Ｔ１）を選択してチャネル符号化部１０３に出力する。  【選択図】      図１
2005080115.tif 000002
【特許請求の範囲】
【請求項１】
受信装置からの再送要求に基づいて、前記受信装置に対して送信データを再送するハイブリッドＡＲＱ方式の無線送信装置において、
前記受信装置からの再送要求に基づいて、送信回数を推定する送信回数推定手段と、
前記送信回数推定手段により推定された推定送信回数と、送信信号から推定したドップラ周波数とに基づいて、ドップラ周波数に応じた再送信用パラメータを選択する選択手段と、
前記選択手段により選択された再送信用パラメータに基づいて、前記送信データを符号化して再送信データを生成する符号化手段と、
を具備することを特徴とする無線送信装置。
【請求項２】
受信装置からの再送要求に基づいて、前記受信装置に対して送信データを再送するハイブリッドＡＲＱ方式の無線送信装置において、
前記受信装置からの再送要求に基づいて、送信回数を推定する送信回数推定手段と、
初回送信時に、設定された変調方式と、送信データと、コード数とに基づいて、符号化率を計算する符号化率計算手段と、
前記推定された推定送信回数と、前記設定された変調方式と、初回送信時に推定した送信信号のドップラ周波数と、前記符号化率計算手段により計算された符号化率とに基づいて、ドップラ周波数と符号化率に応じた再送信用パラメータを選択する選択手段と、
前記選択手段により選択された再送信用パラメータに基づいて、前記送信データを符号化して再送信データを生成する符号化手段と、
を具備することを特徴とする無線送信装置。
【請求項３】
受信装置からの再送要求に基づいて、前記受信装置に対して送信データを再送するハイブリッドＡＲＱ方式の無線送信装置において、
前記受信装置からの再送要求に基づいて、送信回数を推定する送信回数推定手段と、
設定された変調方式と、送信データと、コード数とに基づいて、符号化率を計算する符号化率計算手段と、
前記設定された変調方式と、前記送信回数推定手段により推定された推定送信回数と、前記符号化率計算手段により計算された符号化率と、送信時に推定した送信信号のドップラ周波数とに基づいて、再送信パラメータ用の推定送信回数を設定する推定送信回数設定手段と、
前記推定送信回数設定手段により設定された推定送信回数と、前記設定された変調方式と、前記ドップラ周波数と、前記符号化率計算手段により計算された符号化率とに基づいて、ドップラ周波数と符号化率に応じた再送信用パラメータを選択する選択手段と、
前記選択手段により選択された再送信用パラメータに基づいて、前記送信データを符号化して再送信データを生成する符号化手段と、
を具備することを特徴とする無線送信装置。
【請求項４】
受信装置からの再送要求に基づいて、前記受信装置に対して送信データを再送するハイブリッドＡＲＱ方式の無線送信方法において、
前記受信装置からの再送要求に基づいて、送信回数を推定する送信回数推定ステップと、
前記推定された推定送信回数と、送信信号から推定したドップラ周波数とに基づいて、ドップラ周波数に応じた再送信用パラメータを選択する選択ステップと、
前記選択された再送信用パラメータに基づいて、前記送信データを符号化して再送信データを生成する符号化ステップと、
を有することを特徴とする無線送信方法。
【請求項５】
受信装置からの再送要求に基づいて、前記受信装置に対して送信データを再送するハイブリッドＡＲＱ方式の無線送信方法において、
前記受信装置からの再送要求に基づいて、送信回数を推定する送信回数推定ステップと、
初回送信時に、設定された変調方式と、送信データと、コード数とに基づいて、符号化率を計算する符号化率計算ステップと、
前記推定された推定送信回数と、前記設定された変調方式と、初回送信時に推定した送信信号のドップラ周波数と、前記計算された符号化率とに基づいて、ドップラ周波数と符号化率に応じた再送信用パラメータを選択する選択ステップと、
前記選択された再送信用パラメータに基づいて、前記送信データを符号化して再送信データを生成する符号化ステップと、
を有することを特徴とする無線送信方法。
【請求項６】
受信装置からの再送要求に基づいて、前記受信装置に対して送信データを再送するハイブリッドＡＲＱ方式の無線送信方法において、
前記受信装置からの再送要求に基づいて、送信回数を推定する送信回数推定ステップと、
設定された変調方式と、送信データと、コード数とに基づいて、符号化率を計算する符号化率計算ステップと、
前記設定された変調方式と、前記推定された推定送信回数と、前記計算された符号化率と、送信時に推定した送信信号のドップラ周波数とに基づいて、再送信パラメータ用の推定送信回数を設定する推定送信回数設定ステップと、
前記設定された推定送信回数と、前記設定された変調方式と、前記ドップラ周波数と、前記計算された符号化率とに基づいて、ドップラ周波数と符号化率に応じた再送信用パラメータを選択する選択ステップと、
前記選択された再送信用パラメータに基づいて、前記送信データを符号化して再送信データを生成する符号化ステップと、
を有することを特徴とする無線送信方法。
【発明の詳細な説明】
【技術分野】
【０００１】
本発明は、無線送信装置および無線送信方法に関する。
【背景技術】
【０００２】
従来、Ｗ−ＣＤＭＡ（Wideband Code Division Multiple Access）方式の高速なパケット伝送方式として、ＨＳＤＰＡ（High Speed Downlink Packet Access）がある。ＨＳＤＰＡでは、ＨＡＲＱが採用されている。ＨＡＲＱ（Hybrid Automatic ReQuest）とは、再送制御（ＡＲＱ：Automatic ReQuest）と誤り訂正符号化処理を組み合わせた方式である。
【０００３】
ＨＳＤＰＡ対応基地局では、図９に示す送信データ処理のフローチャートにおいて、ステップＳ８０７に示す「ＨＡＲＱ機能」が採用されている。送信するデータは、符号化率１／３のターボ符号化が行われ、ＨＡＲＱ機能にて実際に送信する物理チャネルビット数分へ合わせるためレート変更が行われる。
【０００４】
このＨＡＲＱ機能のハード構成は、図１０に示すブロック図のように構成され、第２レートマッチング部９０４において、システマチック優先度パラメータｓとレートマッチングパラメータｒを用いてどのようなビットを送信するかを決定している。
【０００５】
すなわち、第２レートマッチング部９０４では、ターボ符号化された符号化送信データに含まれたSystematic（以下、システマチックという）、Parity1、Parity2（以下、パリティ１、パリティ２という）の各データに対して、どのようにレートマッチング（実際の物理チャネル数への合わせ込み）を実行して送信するかを決定している。
【０００６】
例えば、システマチックデータの送信優先かパリティ１，２の送信優先か、またどのようなパターンでパリティ１，２のビットを間引く（又は、繰り返す）か、などを決定している。
【０００７】
このようにシステマチック優先度パラメータｓ，レートマッチングパラメータｒを変更することにより、初回送信時と再送信時に異なる送信ビットパターンを送信することができ、符号化利得を得やすくすることができる。
【０００８】
また、ＨＳＤＰＡ対応基地局では、変調方式が１６ＱＡＭ（Quadrature Amplitude Modulation）の場合、さらにConstellation Rearrangement（位相配置の再配置）が採用されている。
【０００９】
この場合、図９においてステップＳ８１０の１６ＱＡＭ再配置処理に示すように、１６ＱＡＭのコンスタレーションを変更するコンスタレーション再配置パラメータbを用いることで、ＨＡＲＱと同様に、コンスタレーションの再配置による利得がえられる。
【００１０】
ＨＳＤＰＡ対応基地局では、２つのＨＡＲＱパラメータ（システマチック優先度パラメータｓ，レートマッチングパラメータｒ）及びコンスタレーション再配置パラメータｂに対してＲＶ（Redundancy version ）パラメータを与えて、送信回数毎にレートマッチングパターン及びコンスタレーション再配置（１６ＱＡＭのみに適用）を変えて、送信ビットを決定している。
【００１１】
ＨＳＤＰＡ対応基地局において、変調方式がＱＰＳＫと１６ＱＡＭの場合に、ＲＶパラメータＸrvを設定した例を表１と表２に示す。
【００１２】
【表１】
2005080115.tif 000003
【００１３】
【表２】
2005080115.tif 000004
なお、表１は3GPP TS25.212規格に基づくＱＰＳＫのＲＶパラメータＸrvの設定値、表２は3GPP TS25.212規格に基づく１６ＱＡＭのＲＶパラメータＸrvの設定値である。
【００１４】
表１及び表２において、システマチック優先度パラメータｓ＝１の場合は、システマチックデータの送信が優先され、システマチック優先度パラメータｓ＝０の場合は、パリティデータ１，２の送信が優先される。
【００１５】
また、従来、3GPP TS25.101（非特許文献１）に記されているように、表３、表４に示すように送信回数毎にＲＶパラメータを定めて送信を行っている。
【００１６】
【表３】
2005080115.tif 000005
【００１７】
【表４】
2005080115.tif 000006
【非特許文献１】3GPP TS 25.101 V5.7.0(2003-06); Technical Specification Group Radio Access Network: UE Radio Transmission and Reception(FDD)(Release 5)
【発明の開示】
【発明が解決しようとする課題】
【００１８】
しかしながら、従来の3GPP TS25.101（非特許文献１）に記され、表３及び表４に示したように、変調方式に応じて送信回数毎にＲＶパラメータを定めて送信を行っていただけであり、送信信号におけるドップラ周波数の変化に対してはＲＶパラメータを変えていないため、ドップラ周波数の影響を考慮した適切な送信回数に対するＲＶパラメータを用いた送信ができないという問題があった。
【００１９】
本発明はかかる点に鑑みてなされたものであり、ドップラ周波数の影響を考慮した適切な送信回数に対するＲＶパラメータを設定し、送信信号におけるドップラ周波数の変化に対応した送信ビットパターンの設定を可能にして、再送信回数を減らすことができる無線送信装置および無線送信方法を提供することを目的とする。
【課題を解決するための手段】
【００２０】
本発明の無線送信装置は、受信装置からの再送要求に基づいて、前記受信装置に対して送信データを再送するハイブリッドＡＲＱ方式の無線送信装置において、前記受信装置からの再送要求に基づいて、送信回数を推定する送信回数推定手段と、前記送信回数推定手段により推定された推定送信回数と、送信信号から推定したドップラ周波数とに基づいて、ドップラ周波数に応じた再送信用パラメータを選択する選択手段と、前記選択手段により選択された再送信用パラメータに基づいて、前記送信データを符号化して再送信データを生成する符号化手段と、を具備する構成を採る。
【００２１】
この構成によれば、送信信号におけるドップラ周波数の影響を考慮した適切な送信回数に対するＲＶパラメータを設定して、送信データを再送信することができ、再送信回数を減らすことができる。
【００２２】
本発明の無線送信装置は、受信装置からの再送要求に基づいて、前記受信装置に対して送信データを再送するハイブリッドＡＲＱ方式の無線送信装置において、前記受信装置からの再送要求に基づいて、送信回数を推定する送信回数推定手段と、初回送信時に、設定された変調方式と、送信データと、コード数とに基づいて、符号化率を計算する符号化率計算手段と、前記推定された推定送信回数と、前記設定された変調方式と、初回送信時に推定した送信信号のドップラ周波数と、前記符号化率計算手段により計算された符号化率とに基づいて、ドップラ周波数と符号化率に応じた再送信用パラメータを選択する選択手段と、前記選択手段により選択された再送信用パラメータに基づいて、前記送信データを符号化して再送信データを生成する符号化手段と、を具備する構成を採る。
【００２３】
この構成によれば、送信データの初回送信時のドップラ周波数と符号化率に対応した適切な送信回数に対するＲＶパラメータを設定して、送信データを再送信することができ、再送信回数を減らすことができる。
【００２４】
本発明の無線送信装置は、受信装置からの再送要求に基づいて、前記受信装置に対して送信データを再送するハイブリッドＡＲＱ方式の無線送信装置において、前記受信装置からの再送要求に基づいて、送信回数を推定する送信回数推定手段と、設定された変調方式と、送信データと、コード数とに基づいて、符号化率を計算する符号化率計算手段と、前記設定された変調方式と、前記送信回数推定手段により推定された推定送信回数と、前記符号化率計算手段により計算された符号化率と、送信時に推定した送信信号のドップラ周波数とに基づいて、再送信パラメータ用の推定送信回数を設定する推定送信回数設定手段と、前記推定送信回数設定手段により設定された推定送信回数と、前記設定された変調方式と、前記ドップラ周波数と、前記符号化率計算手段により計算された符号化率とに基づいて、ドップラ周波数と符号化率に応じた再送信用パラメータを選択する選択手段と、前記選択手段により選択された再送信用パラメータに基づいて、前記送信データを符号化して再送信データを生成する符号化手段と、を具備する構成を採る。
【００２５】
この構成によれば、送信コード数が変わり、大きく符号化率が異なった場合や、変調方式が変更された場合でも、送信データのドップラ周波数と符号化率に対応した適切な送信回数に対するＲＶパラメータを設定して、送信データを再送信することができ、再送信回数を減らすことができる。
【００２６】
本発明の無線送信方法は、受信装置からの再送要求に基づいて、前記受信装置に対して送信データを再送するハイブリッドＡＲＱ方式の無線送信方法において、前記受信装置からの再送要求に基づいて、送信回数を推定する送信回数推定ステップと、前記推定された推定送信回数と、送信信号から推定したドップラ周波数とに基づいて、ドップラ周波数に応じた再送信用パラメータを選択する選択ステップと、前記選択された再送信用パラメータに基づいて、前記送信データを符号化して再送信データを生成する符号化ステップと、を有するようにした。
【００２７】
この方法によれば、送信信号におけるドップラ周波数の影響を考慮した適切な送信回数に対するＲＶパラメータを設定して、送信データを再送信することができ、再送信回数を減らすことができる。
【００２８】
本発明の無線送信方法は、受信装置からの再送要求に基づいて、前記受信装置に対して送信データを再送するハイブリッドＡＲＱ方式の無線送信方法において、前記受信装置からの再送要求に基づいて、送信回数を推定する送信回数推定ステップと、初回送信時に、設定された変調方式と、送信データと、コード数とに基づいて、符号化率を計算する符号化率計算ステップと、前記推定された推定送信回数と、前記設定された変調方式と、初回送信時に推定した送信信号のドップラ周波数と、前記計算された符号化率とに基づいて、ドップラ周波数と符号化率に応じた再送信用パラメータを選択する選択ステップと、前記選択された再送信用パラメータに基づいて、前記送信データを符号化して再送信データを生成する符号化ステップと、を有するようにした。
【００２９】
この方法によれば、送信データの初回送信時のドップラ周波数と符号化率に対応した適切な送信回数に対するＲＶパラメータを設定して、送信データを再送信することができ、再送信回数を減らすことができる。
【００３０】
本発明の無線送信方法は、受信装置からの再送要求に基づいて、前記受信装置に対して送信データを再送するハイブリッドＡＲＱ方式の無線送信方法において、前記受信装置からの再送要求に基づいて、送信回数を推定する送信回数推定ステップと、設定された変調方式と、送信データと、コード数とに基づいて、符号化率を計算する符号化率計算ステップと、前記設定された変調方式と、前記推定された推定送信回数と、前記計算された符号化率と、送信時に推定した送信信号のドップラ周波数とに基づいて、再送信パラメータ用の推定送信回数を設定する推定送信回数設定ステップと、前記設定された推定送信回数と、前記設定された変調方式と、前記ドップラ周波数と、前記計算された符号化率とに基づいて、ドップラ周波数と符号化率に応じた再送信用パラメータを選択する選択ステップと、前記選択された再送信用パラメータに基づいて、前記送信データを符号化して再送信データを生成する符号化ステップと、を有するようにした。
【００３１】
この方法によれば、送信コード数が変わり、大きく符号化率が異なった場合や、変調方式が変更された場合でも、送信データのドップラ周波数と符号化率に対応した適切な送信回数に対するＲＶパラメータを設定して、送信データを再送信することができ、再送信回数を減らすことができる。
【発明の効果】
【００３２】
本発明によれば、ドップラ周波数の影響を考慮した適切な送信回数に対するＲＶパラメータを設定し、送信信号におけるドップラ周波数の変化に対応した送信ビットパターンの設定を可能にして、再送信回数を減らすことができる。
【発明を実施するための最良の形態】
【００３３】
本発明の骨子は、ドップラ周波数の影響を考慮した適切な送信回数に対するＲＶパラメータを設定し、送信信号におけるドップラ周波数の変化に対応した送信ビットパターンの設定を可能にして、再送信回数を減らすことである。
【００３４】
以下、本発明の実施の形態について図面を参照して詳細に説明する。
【００３５】
（実施の形態１）
図１は、本発明の実施の形態１に係るＨＳＤＰＡ対応の送信装置の要部構成を示すブロック図である。
【００３６】
送信装置１００は、送信回数推定部１０１、ＲＶパターン選択部１０２及びチャネル符号化部１０３とから主に構成される。
【００３７】
送信回数推定部１０１は、受信端末（図示省略）から受信した上りのＨＳ−ＤＰＣＣＨ（High Speed-Dedicated Physical Channel ）からのＡｃｋ（Acknowledgment）／Ｎａｃｋ（Negative Acknowledgment）信号と、送信回数とに基づいて、受信端末に送信できたであろう送信回数を推定し、その推定送信回数をＲＶパターン選択部１０２に出力する。
【００３８】
送信回数推定部１０１は、Ｎａｃｋ信号を受信した場合は送信推定回数を１回増やして出力し、Ａｃｋ／Ｎａｃｋ信号が来るべき受信タイミングで受信できない場合は、送信がうまくいかなかったと思われるので、推定送信回数を増やさずに出力する。
【００３９】
ＲＶパターン選択部１０２は、図２に示すようなＲＶパラメータテーブルをＱＰＳＫ用と１６ＱＡＭ用の２つ少なくとも格納しており、送信回数推定部１０１から入力された推定送信回数と、送信信号により推定されて入力されたドップラ周波数ｆＤとの対応関係に基づいて、ＲＶパラメータテーブルから該当するＲＶパラメータＸrv（例えば、ＲＶ_ａ_Ｔ１）を選択してチャネル符号化部１０３に出力する。
【００４０】
なお、図２に示すＲＶパラメータテーブルでは、ドップラ周波数ｆＤの周波数帯域を３つの範囲に分割（０≦ｆ＜ｆ１，ｆ１≦ｆ＜ｆ２，ｆ２≦ｆ≦ｆ３）し、これらのドップラ周波数ｆＤの範囲内で推定送信回数毎にＲＶパラメータＸrv（ドップラ周波数ｆＤ：０≦ｆ＜ｆ１：ＲＶ_ａ_Ｔ１，・・・，ＲＶ_ａ_ＴＮ等）を設定しており、これらのＲＶパラメータＸrvには、上記表１と表２に示したＱＰＳＫと１６ＱＡＭに対応する各パラメータが設定される。
【００４１】
チャネル符号化部１０３は、ＲＶパターン選択部１０２から入力されたＲＶパラメータＸrvに基づいてチャネル符号化処理を実行して、入力される送信データのレートマッチングパターン及びコンスタレーション再配置（１６ＱＡＭのみに適用）を変えた送信ビットをＨＳ−ＤＳＣＨ（High Speed-Downlink Shared Channel）として送信する。
【００４２】
このように、本実施の形態の送信装置によれば、送信信号におけるドップラ周波数の影響を考慮した適切な送信回数に対するＲＶパラメータを設定して、送信データを再送信することができ、再送信回数を減らすことができる。
【００４３】
（実施の形態２）
図３は、本発明の実施の形態２に係るＨＳＤＰＡ対応の送信装置２００の要部構成を示すブロック図である。送信装置２００では、ドップラ周波数だけでなく、符号化率（変調方式も含む）を含めてＲＶパターンを選択することが、実施の形態１と異なる。
【００４４】
送信装置２００は、送信回数推定部２０１、符号化率計算部２０２、ＲＶパターン選択部２０３及びチャネル符号化部２０４とから主に構成される。なお、送信回数推定部２０１及びチャネル符号化部２０４は、実施の形態１に示した送信回数推定部１０１及びチャネル符号化部１０３と同一の機能を有するため、その説明は省略する。
【００４５】
符号化率計算部２０２は、初回送信時及び再送信時も変調方式とコード数は一定であるという前提において、初回送信時に入力される送信データ、送信回数、コード数及び変調方式（例えば、ＱＰＳＫ又は１６ＱＡＭ）に基づいて符号化率を計算し、その計算した符号化率をＲＶパターン選択部２０３に出力する。なお、符号化率計算部２０２は、符号化率の計算を初回送信時にのみ行うものとする。
【００４６】
ＲＶパターン選択部２０３は、図４に示すようなＲＶパラメータテーブルをＱＰＳＫ用と１６ＱＡＭ用の２つ少なくとも格納しており、変調方式と、送信回数推定部２０１から入力された推定送信回数と、初回送信時に推定されて入力されたドップラ周波数ｆＤと、符号化率計算部２０２から入力された符号化率と、の対応関係に基づいて、ＲＶパラメータテーブルから該当するＲＶパラメータＸrv（例えば、ＲＶ_ｆ１_ａ_Ｔ１）を選択してチャネル符号化部２０４に出力する。
【００４７】
なお、図４に示すＲＶパラメータテーブルでは、ドップラ周波数ｆＤの周波数帯域を２つの範囲に分割（ｆＤ＜ｆ（ｆ１），ｆ（ｆ１）≦ｆＤ）し、符号化率を３つの範囲に分割（０≦ｘ＜ｘ１，ｘ１≦ｘ＜ｘ２，ｘ２≦ｘ≦１）し、これらのドップラ周波数ｆＤ及び符号化率の範囲内で推定送信回数毎にＲＶパラメータＸrv（ドップラ周波数ｆＤ＜ｆ（ｆ１），符号化率０≦ｘ＜ｘ１：ＲＶ_ａ_Ｔ１，・・・，ＲＶ_ａ_ＴＮ等）を設定しており、これらのＲＶパラメータＸrvには、上記表１と表２に示したＱＰＳＫと１６ＱＡＭに対応する各パラメータが設定される。
【００４８】
このように、本実施の形態の送信装置によれば、送信データの初回送信時のドップラ周波数と符号化率に対応した適切な送信回数に対するＲＶパラメータを設定して、送信データを再送信することができ、再送信回数を減らすことができる。
【００４９】
（実施の形態３）
図５は本発明の実施の形態３に係るＨＳＤＰＡ対応の送信装置３００の要部構成を示すブロック図である。送信装置３００では、符号化率の計算を送信回数毎に必ず行い、送信コード数が変わり、大きく符号化率が異なった場合や、変調方式が変更された場合、ドップラ周波数が大きく異なった場合にも対応可能としたこと、再送時にもドップラ周波数、変調方式及び符号化率に基づいて、ＲＶパラメータを選択することが、実施の形態２と異なる。
【００５０】
送信装置３００は、送信回数推定部３０１、ＲＶ推定送信回数部３０２、符号化率計算部３０３、ＲＶパターン選択部３０４及びチャネル符号化部３０５とから主に構成される。
【００５１】
送信回数推定部３０１、符号化率計算部３０３及びチャネル符号化部３０５は、実施の形態１に示した送信回数推定部１０１、実施の形態２に示した符号化率計算部２０２及び実施の形態１に示したチャネル符号化部１０３と同一の機能を有するため、その説明は省略する。
【００５２】
ＲＶ推定送信回数部３０２は、入力される変調方式と、送信回数推定部３０１から入力される推定送信回数と、送信時に推定されて入力されたドップラ周波数ｆＤと、符号化率計算部３０３から入力される符号化率とに基づいて、図６及び図７に示すＲＶ推定送信回数を設定してＲＶパターン選択部３０４に出力する。
【００５３】
図６は、送信前の初期状態の場合を示しており、変調方式及び符号化率によらずＲＶ推定送信回数は全て「０」である。図７（Ａ）〜（Ｄ）は、送信を開始した後の初回送信時、再送１回目、再送２回目、再送３回目の各ＲＶ推定送信回数の設定を示している。
【００５４】
図７（Ａ）は、初回送信時のＲＶ推定送信回数の設定を示しており、変調方式がＱＰＳＫ、ドップラ周波数（ｆＤ＜ｆ１）、符号化率（０≦ｘ＜ｘ１）の場合は、ＲＶ推定送信回数を「１」とする。次いで、図７（Ｂ）に示す再送１回目の時、初回送信時と同様なドップラ周波数ｆＤ、符号化率及び変調方式の場合は、ＲＶ推定送信回数をインクリメントとして「２」とする。次いで、図７（Ｃ）に示す再送２回目の時、再送１回目とドップラ周波数ｆＤだけがｆ１≦ｆＤと異なる場合は、その対応するＲＶ推定送信回数を「１」とする。次いで、図７（Ｄ）に示す再送３回目の時、再送２回目と符号化率だけがｘ１≦ｘ＜ｘ２と異なる場合は、その対応するＲＶ推定送信回数を「１」とする。
【００５５】
ＲＶパターン選択部３０４は、図８に示すようなＲＶパラメータテーブルをＱＰＳＫ用と１６ＱＡＭ用の２つ少なくとも格納しており、変調方式と、ＲＶ推定送信回数部３０２から入力されたＲＶ推定送信回数と、送信時に推定されて入力されたドップラ周波数ｆＤと、符号化率計算部３０３から入力された符号化率と、の対応関係に基づいて、ＲＶパラメータテーブルから該当するＲＶパラメータＸrv（例えば、ＲＶ_ｆ１_ａ_Ｔ１）を選択してチャネル符号化部３０５に出力する。
【００５６】
したがって、本実施の形態の送信装置では、送信コード数が変わり、大きく符号化率が異なった場合や、変調方式が変更された場合、およびドップラ周波数が大きく異なった場合にも、送信データのドップラ周波数と符号化率に対応した適切な送信回数に対するＲＶパラメータを設定して、送信データを再送信することができ、再送信回数を減らすことができる。
【００５７】
以上のように、本発明を適用した実施の形態１〜３の送信装置によれば、ドップラ周波数の影響を考慮した適切な送信回数に対するＲＶパラメータを設定し、送信信号におけるドップラ周波数の変化に対応した送信ビットパターンの設定を可能にしたため、再送信回数を減らすことができる。
【００５８】
例えば、符号化率が１に近く、ドップラ周波数が高い場合は、Ｔｕｒｂｏ符号のシステマチックビットを送信した場合は、受信端末装置側に伝わらない可能性がある。このような場合、受信端末装置側の復号処理では、システマチックビットは大きな情報となる。この場合、本発明を適用することにより、ドップラ周波数が高い場合は、ドップラ周波数が低い場合よりもシステマチックビットの回数を多く送る等の対応が可能となり、ドップラ周波数の影響を考慮しない場合よりも再送回数を減らすことが可能になる。
【産業上の利用可能性】
【００５９】
本発明にかかる無線送信装置及び無線送信方法は、記受信装置に対して送信データを再送するハイブリッドＡＲＱ方式において、送信信号におけるドップラ周波数の変化に対応した送信ビットパターンの設定を可能にすることである。
【図面の簡単な説明】
【００６０】
【図１】本発明の実施の形態１に係る送信装置の要部構成を示すブロック図
【図２】実施の形態１に係る送信装置において用いられるＲＶパラメータテーブルの一例を示す図
【図３】本発明の実施の形態２に係る送信装置の要部構成を示すブロック図
【図４】実施の形態２に係る送信装置において用いられるＲＶパラメータテーブルの一例を示す図
【図５】本発明の実施の形態３に係る送信装置の要部構成を示すブロック図
【図６】実施の形態３に係る送信装置内のＲＶ推定送信回数部の初期状態を説明するための図
【図７】実施の形態３に係る送信装置内のＲＶ推定送信回数部の動作を説明するための図
【図８】実施の形態３に係る送信装置において用いられるＲＶパラメータテーブルの一例を示す図
【図９】従来のＨＡＲＱ対応基地局における送信データ処理を示すフローチャート
【図１０】従来のＨＡＲＱ対応基地局のＨＡＲＱ機能部の構成を示すブロック図
【符号の説明】
【００６１】
１００、２００、３００  送信装置
１０１、２０１、３０１  送信回数推定部
１０２、２０３、３０４  ＲＶパターン選択部
１０３、２０４、３０５  チャネル符号化部
２０２、３０３  符号化率計算部
３０２  ＲＶ推定送信回数部
【図１】
2005080115.tif 000007
【図２】
2005080115.tif 000008
【図３】
2005080115.tif 000009
【図４】
2005080115.tif 000010
【図５】
2005080115.tif 000011
【図６】
2005080115.tif 000012
【図７】
2005080115.tif 000013
【図８】
2005080115.tif 000014
【図９】
2005080115.tif 000015
【図１０】
2005080115.tif 000016